(57)【要約】【課題】映像信号に対する信号処理の最適化を図ることができる映像表示システム、送信機、受信機、及び映像表示装置を提供する。【解決手段】映像表示システムは、映像信号を出力する映像信号出力装置１と、映像信号出力装置１により出力された映像信号を無線で送信する送信機２と、送信機２により送信された映像信号を受信する受信機３と、受信機３により受信した映像信号に基づいて映像を表示する投写型映像表示装置４とを備えている。この投写型映像表示装置４は、無線で送信された映像信号の形式に応じた信号処理を映像信号に対して施す。【選択図】図１
2010074671.tif 000002
【特許請求の範囲】
【請求項１】
映像信号を出力する映像信号出力装置と、前記映像信号出力装置により出力された前記映像信号を無線で送信する送信機と、前記送信機により送信された前記映像信号を受信する受信機と、前記受信機により受信した前記映像信号に基づいて映像を表示する映像表示装置とを備える映像表示システムであって、
前記受信機または前記映像表示装置は、無線で送信された前記映像信号の形式に応じた信号処理を前記映像信号に対して施す
ことを特徴とする映像表示システム。
【請求項２】
請求項１に記載の映像表示システムにおいて、
前記送信機は、前記映像信号出力装置から前記送信機に入力される前記映像信号の経路に関する情報を前記受信機に送信し、
前記受信機は、前記映像信号の経路に関する情報を受信し、
前記受信機または前記映像表示装置は、前記映像信号の経路に関する情報に基づいて、前記映像信号の形式に応じた信号処理を前記映像信号に対して施す
ことを特徴とする映像表示システム。
【請求項３】
請求項２に記載の映像表示システムにおいて、
前記送信機は、前記映像信号を前記送信機に入力するためのＨＤＭＩ端子及びＤＶＩ端子及びコンポーネント端子により構成される端子群を備えるとともに、前記映像信号の経路に関する情報として、前記端子群のうち前記映像信号を入力するために使用された端子の情報を送信し、
前記受信機または前記映像表示装置は、前記使用された端子の情報に基づいて、前記映像信号の形式に応じた信号処理を前記映像信号に対して施す
ことを特徴とする映像表示システム。
【請求項４】
請求項３に記載の映像表示システムにおいて、
前記受信機または前記映像表示装置は、前記使用された端子が前記コンポーネント端子であるときは、前記使用された端子が前記ＨＤＭＩ端子または前記ＤＶＩ端子であるときに比べ、度合いの強いノイズ低減処理を前記映像信号に対して施す
ことを特徴とする映像表示システム。
【請求項５】
請求項３または４に記載の映像表示システムにおいて、
前記受信機または前記映像表示装置は、前記使用された端子が前記コンポーネント端子または前記ＨＤＭＩ端子であるときは、前記使用された端子が前記ＤＶＩ端子であるときに比べ、前記映像に含まれる輪郭を強調する信号処理を前記映像信号に対して施す
ことを特徴とする映像表示システム。
【請求項６】
請求項３〜５のいずれか一項に記載の映像表示システムにおいて、
前記受信機または前記映像表示装置は、前記使用された端子が前記ＤＶＩ端子であるときは、前記映像表示装置がオーバースキャンすることなく前記映像を表示するための信号処理を前記映像信号に対して施す
ことを特徴とする映像表示システム。
【請求項７】
映像信号を出力する映像信号出力装置に接続されるとともに、この映像信号出力装置により出力された前記映像信号を無線で送信する送信機において、
前記映像信号を無線で送信する映像信号送信部と、前記映像信号出力装置から前記送信機に入力される前記映像信号の経路に関する情報を送信する信号情報通信部とを備える
ことを特徴とする送信機。
【請求項８】
映像信号を出力する映像信号出力装置に接続された送信機からの前記映像信号を受信する受信機において、
前記映像信号を無線で受信する映像信号受信部と、前記映像信号出力装置から前記送信機に入力される前記映像信号の経路に関する情報を受信する信号情報通信部とを備える
ことを特徴とする受信機。
【請求項９】
受信機が受信した映像信号に基づいて映像を表示する映像表示装置において、
前記受信機として請求項８に記載の受信機を備え、前記映像信号の形式に応じて信号処理が施された前記映像信号に基づいて映像を表示する
ことを特徴とする映像表示装置。
【発明の詳細な説明】
【技術分野】
【０００１】
本発明は、映像を表示するために無線により映像信号を伝送する映像表示システム、及び無線により映像信号を伝送するための送信機、受信機、並びに受信機を備えた映像表示装置に関する。
【背景技術】
【０００２】
近年、無線伝送技術の発展に伴い、ＤＶＤプレーヤー等の映像信号出力装置により出力される映像信号を無線により伝送して、遠隔に位置する映像表示装置に映像を表示させる映像表示システムが知られている（例えば、特許文献１参照）。
【０００３】
具体的には、上記映像表示システムは、映像信号を出力する映像信号出力装置と、映像信号出力装置により出力された映像信号を無線で送信する送信機と、送信機により送信された映像信号を受信する受信機と、受信機により受信した映像信号に基づいて映像を表示する映像表示装置とにより構成されている。
【０００４】
上記送信機は、例えばコンポーネント端子及びＤＶＩ端子等により構成される端子群を備えており、いずれかの端子を経由して送信機に入力される映像信号を無線により受信機へ送信する構成となっている。
【特許文献１】特開２００４−３４３７２５号公報
【発明の開示】
【発明が解決しようとする課題】
【０００５】
ところで、上記従来の映像表示システムにおいては、無線により伝送された映像信号を受信する受信機または映像表示装置は、送信機に映像信号を入力するために使用された端子がいずれの端子であるかに拘わらず、映像信号に対して同じ信号処理を施す構成となっている。即ち、例えば、コンポーネント端子を映像信号の経路とするコンポーネント信号と、ＤＶＩ端子を映像信号の経路とするＤＶＩ信号との双方に対して、同じ信号処理を施す。
【０００６】
従って、例えば、アナログ信号であるコンポーネント信号に対しても、デジタル信号であるＤＶＩ信号に対して施す信号処理であるノイズ低減処理が施されるため、ノイズを効果的に低減することができない場合があった。即ち、映像信号に対する信号処理が最適でないという問題があった。
【０００７】
本発明は、こうした実情に鑑みてなされたものであり、その目的は、映像信号に対する信号処理の最適化を図ることができる映像表示システム、送信機、受信機、及び映像表示装置を提供することにある。
【課題を解決するための手段】
【０００８】
請求項１に記載の発明は、映像信号を出力する映像信号出力装置と、前記映像信号出力装置により出力された前記映像信号を無線で送信する送信機と、前記送信機により送信された前記映像信号を受信する受信機と、前記受信機により受信した前記映像信号に基づいて映像を表示する映像表示装置とを備える映像表示システムであって、前記受信機または前記映像表示装置は、無線で送信された前記映像信号の形式に応じた信号処理を前記映像信号に対して施すことを要旨としている。
【０００９】
この発明によれば、受信機または映像表示装置は、無線で送信された映像信号の形式に応じた信号処理を映像信号に対して施すため、例えばＨＤＭＩ信号やＤＶＩ信号等の映像信号に応じてそれぞれ異なる信号処理を施すことにより、映像信号に対する信号処理の最適化を図ることができる。
【００１０】
請求項２に記載の発明は、請求項１に記載の映像表示システムにおいて、前記送信機は、前記映像信号出力装置から前記送信機に入力される前記映像信号の経路に関する情報を前記受信機に送信し、前記受信機は、前記映像信号の経路に関する情報を受信し、前記受信機または前記映像表示装置は、前記映像信号の経路に関する情報に基づいて、前記映像信号の形式に応じた信号処理を前記映像信号に対して施すことを要旨としている。
【００１１】
この発明によれば、送信機は、上記映像信号の経路に関する情報を受信機に送信し、受信機は、上記映像信号の経路に関する情報を受信し、受信機または映像表示装置は、映像信号の経路に関する情報に基づいて、映像信号の形式に応じた信号処理を映像信号に対して施す。このため、例えば、送信機に設けられたＨＤＭＩ端子を映像信号の経路とするＨＤＭＩ信号や、送信機に設けられたＤＶＩ端子を映像信号の経路とするＤＶＩ信号等の映像信号に応じて、それぞれ異なる信号処理を施すことにより、映像信号に対する信号処理の最適化を図ることができる。
【００１２】
請求項３に記載の発明は、請求項２に記載の映像表示システムにおいて、前記送信機は、前記映像信号を前記送信機に入力するためのＨＤＭＩ端子及びＤＶＩ端子及びコンポーネント端子により構成される端子群を備えるとともに、前記映像信号の経路に関する情報として、前記端子群のうち前記映像信号を入力するために使用された端子の情報を送信し、前記受信機または前記映像表示装置は、前記使用された端子の情報に基づいて、前記映像信号の形式に応じた信号処理を前記映像信号に対して施すことを要旨としている。
【００１３】
この発明によれば、送信機は、映像信号を送信機に入力するための端子群を備えるとともに、映像信号の経路に関する情報として、上記端子群のうち映像信号を送信機に入力するために使用された端子の情報を送信する。このため、受信機は、上記端子群のうち映像信号を送信機に入力するために使用された端子の情報を受信することができる。そして、受信機または映像表示装置は、上記使用された端子の情報に基づいて、映像信号の形式に応じた信号処理を映像信号に対して施す。従って、ＨＤＭＩ端子を映像信号の経路とするＨＤＭＩ信号や、ＤＶＩ端子を映像信号の経路とするＤＶＩ信号や、コンポーネント端子を映像信号の経路とするコンポーネント信号に応じて、それぞれ異なる信号処理を施すことにより、映像信号に対する信号処理の最適化を図ることができる。
【００１４】
請求項４に記載の発明は、請求項３に記載の映像表示システムにおいて、前記受信機または前記映像表示装置は、前記使用された端子が前記コンポーネント端子であるときは、前記使用された端子が前記ＨＤＭＩ端子または前記ＤＶＩ端子であるときに比べ、度合いの強いノイズ低減処理を前記映像信号に対して施すことを要旨としている。
【００１５】
この発明によれば、映像信号を送信機に入力するために使用された端子がコンポーネント端子であるときは、映像信号を送信機に入力するために使用された端子がＨＤＭＩ端子またはＤＶＩ端子であるときに比べ、映像信号に対して、度合いの強いノイズ低減処理が施される。コンポーネント端子を映像信号の経路とするコンポーネント信号は、アナログ信号であってノイズが混入しやすいため、コンポーネント信号に混入したノイズを効果的に低減することができ、コンポーネント信号に対する信号処理の最適化を図ることができる。
【００１６】
請求項５に記載の発明は、請求項３または４に記載の映像表示システムにおいて、前記受信機または前記映像表示装置は、前記使用された端子が前記コンポーネント端子または前記ＨＤＭＩ端子であるときは、前記使用された端子が前記ＤＶＩ端子であるときに比べ、前記映像に含まれる輪郭を強調する信号処理を前記映像信号に対して施すことを要旨としている。
【００１７】
この発明によれば、映像信号を送信機に入力するために使用された端子がコンポーネント端子またはＨＤＭＩ端子であるときは、映像信号を送信機に入力するために使用された端子がＤＶＩ端子であるときに比べ、映像信号に対して、映像に含まれる輪郭を強調する信号処理が施される。コンポーネント端子を映像信号の経路とするコンポーネント信号及びＨＤＭＩ端子を映像信号の経路とするＨＤＭＩ信号は、例えばＤＶＤプレーヤー等の主に動画を再生するための機器から出力される信号であるため、動画の映像に含まれる物体の輪郭を効果的に強調することができ、コンポーネント信号及びＨＤＭＩ信号に対する信号処理の最適化を図ることができる。
【００１８】
請求項６に記載の発明は、請求項３〜５のいずれか一項に記載の映像表示システムにおいて、前記受信機または前記映像表示装置は、前記使用された端子が前記ＤＶＩ端子であるときは、前記映像表示装置がオーバースキャンすることなく前記映像を表示するための信号処理を前記映像信号に対して施すことを要旨としている。
【００１９】
この発明によれば、ＤＶＩ端子を映像信号の経路とするＤＶＩ信号は、例えばＰＣ等の詳細な映像を表示するための機器から出力される信号であるため、上記信号処理が施された映像信号に基づいて、詳細な映像を表示するための機器のユーザに映像を余すことなく表示することができる。
【００２０】
請求項７に記載の発明は、映像信号を出力する映像信号出力装置に接続されるとともに、この映像信号出力装置により出力された前記映像信号を無線で送信する送信機において、前記映像信号を無線で送信する映像信号送信部と、前記映像信号出力装置から前記送信機に入力される前記映像信号の経路に関する情報を送信する信号情報通信部とを備えることを要旨としている。
【００２１】
この発明によれば、送信機は、映像信号出力装置から送信機に入力される映像信号の経路に関する情報を送信する信号情報通信部を備えている。このため、例えば映像信号出力装置から送信機に入力される映像信号の経路に関する情報を受信機が受信して、この受信機が、映像信号の経路に関する情報に基づいて、映像信号の形式に応じた信号処理を映像信号に対して施すことができる。その結果、例えばＨＤＭＩ信号やＤＶＩ信号等の映像信号に応じてそれぞれ異なる信号処理を施すことにより、映像信号に対する信号処理の最適化を図ることができる。
【００２２】
請求項８に記載の発明は、映像信号を出力する映像信号出力装置に接続された送信機からの前記映像信号を受信する受信機において、前記映像信号を無線で受信する映像信号受信部と、前記映像信号出力装置から前記送信機に入力される前記映像信号の経路に関する情報を受信する信号情報通信部とを備えることを要旨としている。
【００２３】
この発明によれば、受信機は、映像信号出力装置から送信機に入力される映像信号の経路に関する情報を受信する信号情報通信部を備えている。このため、例えば受信機や受信機に接続された映像表示装置が、映像信号の経路に関する情報に基づいて、映像信号の形式に応じた信号処理を映像信号に対して施すことができる。その結果、例えばＨＤＭＩ信号やＤＶＩ信号等の映像信号に応じてそれぞれ異なる信号処理を施すことにより、映像信号に対する信号処理の最適化を図ることができる。
【００２４】
請求項９に記載の発明は、受信機が受信した映像信号に基づいて映像を表示する映像表示装置において、前記受信機として請求項８に記載の受信機を備え、前記映像信号の形式に応じて信号処理が施された前記映像信号に基づいて映像を表示することを要旨としている。
【００２５】
この発明によれば、映像表示装置は、映像信号の形式に応じて信号処理が施された映像信号に基づいて映像を表示するため、例えばＨＤＭＩ信号やＤＶＩ信号等の映像信号に応じて適当な信号処理が施された映像信号に基づいて映像を表示することができる。
【発明の効果】
【００２６】
本発明によれば、例えばＨＤＭＩ信号やＤＶＩ信号等の映像信号に応じてそれぞれ異なる信号処理を施すことにより、映像信号に対する信号処理の最適化を図ることができる。
【発明を実施するための最良の形態】
【００２７】
図１〜図４を参照して、本発明を具体化した実施形態について説明する。
図１に示すように、本実施形態に係る映像表示システムは、映像信号出力装置１と、映像信号出力装置１により出力された映像信号を無線で送信する送信機２と、送信機２により無線で送信された映像信号を受信する受信機３と、受信機３により受信した映像信号に基づいて映像を表示する投写型映像表示装置４により構成されている。送信機２から受信機３への映像信号の伝送方式としてはＷＨＤＩ（Wireless High Definition Interface）伝送方式を使用している。
【００２８】
映像信号出力装置１は、例えば、ＤＶＤプレーヤー、ＰＣ（Personal Computer）、放送受信機等であって、ケーブル５により送信機２と接続されており、ケーブル５を介して映像信号を送信機２へ出力する。ケーブル５としては、例えば、映像信号出力装置１がデジタル放送を受信する放送受信機である場合はＨＤＭＩ（High-Definition Multimedia Interface）信号を伝送するＨＤＭＩケーブルを用い、映像信号出力装置１がＰＣである場合はＤＶＩ（Digital Visual Interface）信号を伝送するＤＶＩケーブルを用いる。また、例えば、映像信号出力装置１がＤＶＤプレーヤーである場合は、ケーブル５としてアナログ方式のコンポーネント信号を伝送するコンポーネントケーブルを用いる。
【００２９】
図２に示すように、送信機２は、映像信号を送信機２に入力するための信号入力部２１と、入力された映像信号を所定のデジタル信号に変換するデジタル信号受信部２２及びＡ／Ｄ変換部２３と、映像信号に対して映像信号処理を施す映像信号処理部２４と、映像信号を無線信号として出力する無線モジュール２５とを備えている。
【００３０】
信号入力部２１は、映像信号出力装置１により出力された映像信号を送信機２に入力するための端子群であって、具体的には、ＨＤＭＩケーブルが接続可能なＨＤＭＩ端子２１ａと、ＤＶＩケーブルが接続可能なＤＶＩ端子２１ｂと、コンポーネントケーブルが接続可能なコンポーネント端子２１ｃとにより構成されている。ＨＤＭＩ端子２１ａまたはＤＶＩ端子２１ｂに接続されたケーブル５を介して送信機２に入力されたデジタル方式の映像信号は、デジタル信号受信部２２に入力され、コンポーネント端子２１ｃに接続されたケーブル５を介して送信機２に入力されたアナログ方式の映像信号は、Ａ／Ｄ変換部２３に入力される。
【００３１】
デジタル信号受信部２２は、ＴＭＤＳ（Transition Minimized Differential Signaling）伝送方式によりＨＤＭＩ端子２１ａまたはＤＶＩ端子２１ｂを経由して送信機２に入力されたデジタル方式の映像信号を、映像信号処理部２４に入力すべき形式のデジタル方式の映像信号にフォーマット変換する集積回路である。デジタル信号受信部２２によりフォーマット変換された映像信号は、映像信号処理部２４に入力される。
【００３２】
Ａ／Ｄ変換部２３は、信号入力部２１を構成するコンポーネント端子２１ｃを経由して送信機２に入力されたアナログ方式の映像信号を、映像信号処理部２４に入力すべき形式のデジタル方式の映像信号に変換するＡ／Ｄ変換器である。Ａ／Ｄ変換部２３によりＡ／Ｄ変換された映像信号は、映像信号処理部２４に入力される。
【００３３】
映像信号処理部２４は、ＨＤＭＩ端子２１ａ及びＤＶＩ端子２１ｂ及びコンポーネント端子２１ｃのいずれかの端子を使用して送信機２に入力された映像信号に対して種々の信号処理を施す集積回路である。例えば、映像信号に含まれる同期信号を処理する同期信号処理や、色空間変換処理等の信号処理を映像信号処理部２４が行う。映像信号処理部２４により信号処理が施された映像信号は無線モジュール２５に入力される。
【００３４】
映像信号送信部としての無線モジュール２５は、無線ＬＡＮの規格であるＩＥＥＥ８０２．１１ａに準拠した送信用モジュールであって、鍵長が２５６ビットであるＡＥＳ（Advanced Encryption Standard）の暗号化方式に基づいて映像信号を暗号化するとともに、複数のアンテナを用いて５ＧＨｚ帯を利用したＭＩＭＯ（Multiple Input Multiple Output）に対応したＲＦシステムにより電波で映像信号を送信する。このようにして映像信号を送信する送信機２は、２０ＭＨｚの帯域幅で最大１．５Ｇｂｐｓのデータ伝送速度を実現することができ、映像形式が１０８０ｉ／６０Ｈｚであるハイビジョンの映像信号を非圧縮で受信機３へ伝送することができる。
【００３５】
また、無線モジュール２５は、映像信号出力装置１から送信機２に入力される映像信号の経路に関する情報を送信する信号情報通信部を兼ねており、映像信号の経路に関する情報（以下、「信号情報」）として、映像信号を送信機２に入力するために使用された端子の情報を受信機３に送信する。
【００３６】
送信機２は、以上の構成要素に加えて、ユーザによって操作される操作部２６と、操作部２６の操作内容に基づいて送信機２の各部を制御する制御部２７と、送信機２の動作状況をユーザに表示する表示部２８とをさらに備えている。
【００３７】
操作部２６は、ユーザにより操作されるボタン等により構成されたユーザインタフェースである。ユーザは、操作部２６を操作することにより、例えば、送信機２に映像信号を入力するために使用する端子として、ＨＤＭＩ端子２１ａ及びＤＶＩ端子２１ｂ及びコンポーネント端子２１ｃのいずれかを選択することができる。
【００３８】
制御部２７は、メモリに記憶されたプログラムに基づき動作するマイコンやＣＰＵ（Central Processing Unit）であって、制御するための信号である制御信号を映像信号処理部２４等に出力することにより、送信機２を構成する各部を制御する。また、制御部２７は、映像信号の経路に関する情報として、映像信号を映像信号出力装置１から送信機２に入力するために使用された端子（即ち、映像信号の経路となった端子）の情報を無線モジュール２５に送信させるように制御する。映像信号の経路となった端子（即ち、映像信号が経由した端子）の情報は、例えば、使用する端子を選択するために操作される操作部２６の操作内容や、送信機２に設けられた信号判別回路（不図示）により取得することができる。
【００３９】
表示部２８は、発光ダイオード（ＬＥＤ）等により構成されており、送信機２に映像信号を入力するために使用される端子として、ＨＤＭＩ端子２１ａ及びＤＶＩ端子２１ｂ及びコンポーネント端子２１ｃのいずれが選択されているかをユーザに表示する。
【００４０】
図３に示すように、受信機３は、投写型映像表示装置４に接続される拡張機器であって、映像信号である無線信号が入力されるとともに信号情報を受信する無線モジュール３１と、入力された映像信号に対して所定の信号処理を施す映像信号処理部３２とを備えている。
【００４１】
受信機３が投写型映像表示装置４に接続されることにより、無線モジュール３１は、投写型映像表示装置４が備える制御部５０に接続されるとともに、映像信号処理部３２は、投写型映像表示装置４が備える映像信号処理部４７及び制御部５０に接続される。このように、投写型映像表示装置４は、受信機３を構成する無線モジュール３１及び映像信号処理部３２を備えている。
【００４２】
映像信号受信部としての無線モジュール３１は、ＩＥＥＥ８０２．１１ａに準拠した受信用モジュールであって、受信機３により電波として送信された映像信号を受信するとともに、暗号化されている映像信号を復号化する。このようにして無線モジュール３１で受信した映像信号は映像信号処理部３２に入力される。
【００４３】
また、無線モジュール３１は、映像信号出力装置１から送信機２に入力される映像信号の経路に関する情報（即ち、信号情報）を受信する信号情報通信部を兼ねており、映像信号の経路に関する情報として、映像信号を送信機２に入力するために使用された端子の情報を送信機２から受信する。従って、信号情報通信部である無線モジュール２５と無線モジュール３１は信号情報を送受信する。無線モジュール３１により受信した映像信号の経路に関する情報は制御部５０に入力される。
【００４４】
映像信号処理部３２は、無線モジュール３１で受信した映像信号に対して、投写型映像表示装置４が備える映像信号処理部４７に入力すべき形式に映像信号に変換する信号処理を施す集積回路である。映像信号処理部３２により信号処理が施された映像信号は映像信号処理部４７に入力される。
【００４５】
投写型映像表示装置４は、映像を表示するためのライトバルブとして液晶を用いた液晶プロジェクタであって、映像を投写して表示するための光学部品として超高圧水銀ランプ等により構成された光源４１と、光を透過させて映像を生成する液晶パネル４２と、生成された映像を拡大投写して表示するための投写レンズ４３とを備えている。
【００４６】
液晶パネル４２は、画素がマトリクス状に配置されたマトリクス駆動方式のライトバルブである。液晶パネル４２に駆動電圧が供給されることにより、電極間の液晶の配向が変化して、液晶パネル４２に画像が形成される。そして、画像が形成された液晶パネル４２を光源４１から出射された光が透過することによって映像が生成され、生成された映像が投写レンズ４３によりスクリーンに拡大投写されて表示される。なお、投写型映像表示装置４は、いわゆる３板方式の液晶プロジェクタである場合は、３枚の液晶パネル４２を備えている。この場合、光源４１から出射された光はダイクロイックミラーにより赤、緑、及び青の各色の光に分解されて各色に対応する液晶パネル４２を透過し、３枚の液晶パネル４２を透過した光が合成されることによりフルカラーの映像が生成される。
【００４７】
投写型映像表示装置４は、以上の構成要素に加えて、映像信号を投写型映像表示装置４に入力するための信号入力部４４と、入力された映像信号を所定のデジタル信号に変換するデジタル信号受信部４５及びＡ／Ｄ変換部４６と、映像信号に対して映像信号処理を施す映像信号処理部４７と、液晶ドライバ４８とをさらに備えている。
【００４８】
信号入力部４４は、映像信号を投写型映像表示装置４に直接入力するための端子群であって、具体的には、信号入力部２１と同様に、ＨＤＭＩケーブルが接続可能なＨＤＭＩ端子４４ａと、ＤＶＩケーブルが接続可能なＤＶＩ端子４４ｂと、コンポーネントケーブルが接続可能なコンポーネント端子４４ｃとにより構成されている。投写型映像表示装置４は、このような信号入力部４４を備えることにより、送信機２によって送信された映像信号のみならず、ケーブルを用いて直接接続された映像信号出力装置（不図示）からも映像信号を入力することができる。
【００４９】
デジタル信号受信部４５は、デジタル信号受信部２２と同様に、ＴＭＤＳ伝送方式により、信号入力部４４を構成するＨＤＭＩ端子４４ａまたはＤＶＩ端子４４ｂを経由して投写型映像表示装置４に入力されたデジタル方式の映像信号を、映像信号処理部４７に入力すべき形式のデジタル方式の映像信号にフォーマット変換する集積回路である。デジタル信号受信部４５によりフォーマット変換された映像信号は、映像信号処理部４７に入力される。
【００５０】
Ａ／Ｄ変換部４６は、Ａ／Ｄ変換部２３と同様に、信号入力部４４を構成するコンポーネント端子４４ｃを経由して投写型映像表示装置４に入力されたアナログ方式の映像信号を、映像信号処理部４７に入力すべき形式のデジタル方式の映像信号に変換するＡ／Ｄ変換器である。Ａ／Ｄ変換部４６によりＡ／Ｄ変換された映像信号は、映像信号処理部４７に入力される。
【００５１】
映像信号処理部４７は、受信機３及びＨＤＭＩ端子４４ａ及びＤＶＩ端子４４ｂ及びコンポーネント端子４４ｃのいずれかを用いて投写型映像表示装置４に入力された映像信号に対して種々の信号処理を施す集積回路である。映像信号処理部４７は、例えば、映像信号に含まれる同期信号を処理する同期信号処理や、映像の明るさを調整する処理や、映像のコントラストを調整する処理や、長方形で表示されるべき映像が台形で表示されないように補正する台形歪み補正処理等を行う。映像信号処理部４７により信号処理が施された映像信号は液晶ドライバ４８に入力される。
【００５２】
映像信号処理部４７は、ＨＤＭＩ端子４４ａ及びＤＶＩ端子４４ｂ及びコンポーネント端子４４ｃのいずれかを用いて投写型映像表示装置４に映像信号が入力された場合は、それらの信号を区別して、例えば、ノイズ低減処理や輪郭を補正する処理等の信号処理を施す。
【００５３】
即ち、映像信号を投写型映像表示装置４に入力するために使用された端子がコンポーネント端子４４ｃであるときは、映像信号を入力するために使用された端子がＨＤＭＩ端子４４ａまたはＤＶＩ端子４４ｂであるときに比べ、コンポーネント端子４４ｃを映像信号の経路とするコンポーネント信号に対して度合いの強いノイズ低減処理を施す。
【００５４】
また、映像信号を投写型映像表示装置４に入力するために使用された端子がＨＤＭＩ端子４４ａまたはコンポーネント端子４４ｃであるときは、映像信号を入力するために使用された端子がＤＶＩ端子４４ｂであるときに比べ、ＨＤＭＩ信号またはコンポーネント信号に対して、映像に含まれる物体の輪郭を強調する信号処理を施す。
【００５５】
また、映像信号処理部４７は、映像信号を投写型映像表示装置４に入力するために使用された端子がＤＶＩ端子４４ｂであるときは、ＤＶＩ信号に対して、投写型映像表示装置４がオーバースキャンすることなく映像を表示するための信号処理を施す。
【００５６】
液晶ドライバ４８は、映像信号に基づいて液晶パネル４２を駆動するための回路であって、液晶ドライバ４８により、映像信号に応じた液晶パネル４２を駆動するための駆動電圧が、液晶パネル４２に設けられた映像を構成する画素に対応した電極に供給される。
【００５７】
操作部４９は、ユーザにより操作されるボタン等により構成されたユーザインタフェースである。ユーザは、操作部４９を操作することにより、例えば、投写型映像表示装置４に映像信号を入力するために、受信機３及びＨＤＭＩ端子２１ａ及びＤＶＩ端子２１ｂ及びコンポーネント端子２１ｃのうちいずれを用いるかを選択することができる。
【００５８】
制御部５０は、制御部２７と同様に、メモリに記憶されたプログラムに基づき動作するマイコンやＣＰＵであって、制御信号を無線モジュール３１や映像信号処理部３２や映像信号処理部４７等に出力することにより、受信機３並びに投写型映像表示装置４を構成する各部を制御する。例えば、制御部５０は、映像信号出力装置１から送信機２に入力される映像信号の経路（即ち、映像信号が経由した信号入力部２１を構成する端子）に関する情報に基づいて、映像信号の形式に応じた信号処理を施すための制御信号を映像信号処理部４７に出力して制御する。
【００５９】
ここで、本実施形態においては、映像信号処理部４７は、上記の制御部５０により出力された制御信号に基づき信号処理を施すため、投写型映像表示装置４は、映像信号の経路に関する情報に基づいて、無線で送信された映像信号の形式に応じた信号処理を映像信号に対して施す。
【００６０】
具体的には、投写型映像表示装置４は、受信機３を用いて投写型映像表示装置４に映像信号が入力された場合は、映像信号処理部４７により、映像信号の形式に応じてノイズ低減処理や輪郭を補正する処理等の信号処理を施す。
【００６１】
即ち、映像信号を送信機２に入力するために使用された端子がコンポーネント端子２１ｃであるときは、映像信号を入力するために使用された端子がＨＤＭＩ端子２１ａまたはＤＶＩ端子２１ｂであるときに比べ、コンポーネント端子２１ｃを映像信号の経路とするコンポーネント信号に対して度合いの強いノイズ低減処理を施す。
【００６２】
また、映像信号を送信機２に入力するために使用された端子がＨＤＭＩ端子２１ａまたはコンポーネント端子２１ｃであるときは、映像信号を入力するために使用された端子がＤＶＩ端子２１ｂであるときに比べ、ＨＤＭＩ信号またはコンポーネント信号に対して、映像に含まれる物体の輪郭を強調する信号処理を施す。
【００６３】
また、映像信号処理部４７は、映像信号を送信機２に入力するために使用された端子がＤＶＩ端子２１ｂであるときは、ＤＶＩ信号に対して、投写型映像表示装置４がオーバースキャンすることなく映像を表示するための信号処理を施す。
【００６４】
このようにして、投写型映像表示装置４は、映像信号処理部４７により、ＨＤＭＩ信号やＤＶＩ信号やコンポーネント信号の映像信号に応じて、図４に示すようにそれぞれ異なる信号処理を施す。即ち、無線で送信された映像信号に対して、その形式に応じた信号処理を施している。
【００６５】
本実施形態によれば以下の効果を奏することができる。
（１）投写型映像表示装置４は、無線で送信された映像信号の形式に応じた信号処理を映像信号に対して施すため、ＨＤＭＩ信号やＤＶＩ信号やコンポーネント信号の映像信号に応じてそれぞれ異なる信号処理を施すことにより、映像信号に対する信号処理の最適化を図ることができる。
【００６６】
（２）送信機２は、映像信号出力装置１から送信機２に入力される映像信号の経路に関する情報を受信機３に送信し、受信機３は、映像信号の経路に関する情報を受信し、投写型映像表示装置４は、映像信号の経路に関する情報に基づいて、映像信号の形式に応じた信号処理を映像信号に対して施す。このため、ＨＤＭＩ端子２１ａを映像信号の経路とするＨＤＭＩ信号や、ＤＶＩ端子２１ｂを映像信号の経路とするＤＶＩ信号や、コンポーネント端子２１ｃを映像信号の経路とするコンポーネント信号の映像信号に応じて、それぞれ異なる信号処理を施すことにより、映像信号に対する信号処理の最適化を図ることができる。
【００６７】
（３）送信機２は、映像信号を送信機２に入力するためのＨＤＭＩ端子２１ａ及びＤＶＩ端子２１ｂ及びコンポーネント端子２１ｃにより構成される信号入力部２１を備えるとともに、映像信号の経路に関する情報として、映像信号を入力するために使用された端子の情報を送信する。このため、受信機３は、映像信号を送信機２に入力するために使用された端子の情報を受信することができる。そして、投写型映像表示装置４は、上記の使用された端子の情報に基づいて、映像信号の形式に応じた信号処理を映像信号に対して施すことができる。
【００６８】
（４）投写型映像表示装置４は、映像信号出力装置１から送信機２に映像信号を入力するために使用された端子がコンポーネント端子２１ｃであるときは、送信機２に映像信号を入力するために使用された端子がＨＤＭＩ端子２１ａまたはＤＶＩ端子２１ｂであるときに比べ、度合いの強いノイズ低減処理を映像信号に対して施す。このため、コンポーネント端子２１ｃを映像信号の経路とするコンポーネント信号は、アナログ信号であってノイズが混入しやすいため、コンポーネント信号に混入したノイズを効果的に低減することができ、コンポーネント信号に対する信号処理の最適化を図ることができる。
【００６９】
（５）投写型映像表示装置４は、映像信号出力装置１から送信機２に映像信号を入力するために使用された端子がコンポーネント端子２１ｃまたはＨＤＭＩ端子２１ａであるときは、送信機２に映像信号を入力するために使用された端子がＤＶＩ端子２１ｂであるときに比べ、映像に含まれる輪郭を強調する信号処理を映像信号に対して施す。コンポーネント端子２１ｃを映像信号の経路とするコンポーネント信号及びＨＤＭＩ端子２１ａを映像信号の経路とするＨＤＭＩ信号は、ＤＶＤプレーヤーや放送受信機等の主に動画を再生するための機器から出力される信号である。このため、動画の映像に含まれる物体の輪郭を効果的に強調することができ、コンポーネント信号及びＨＤＭＩ信号に対する信号処理の最適化を図ることができる。
【００７０】
（６）投写型映像表示装置４は、映像信号出力装置１から送信機２に映像信号を入力するために使用された端子がＤＶＩ端子２１ｂであるときは、投写型映像表示装置４がオーバースキャンすることなく映像を表示するための信号処理を映像信号に対して施す。ＤＶＩ端子２１ｂを映像信号の経路とするＤＶＩ信号は、ＰＣ等の詳細な映像を表示するための機器から出力される信号であるため、上記信号処理が施された映像信号に基づいて、詳細な映像を表示するための機器のユーザに映像を余すことなく表示することができる。
【００７１】
（７）本実施形態に係る送信機２は、映像信号を無線で送信するとともに、映像信号出力装置１から送信機２に入力された映像信号の経路に関する情報を送信する無線モジュール２５を備えている。このため、映像信号出力装置１から送信機２に入力される映像信号の経路に関する情報を受信機３が受信して、受信機３に接続された投写型映像表示装置４が、映像信号の経路に関する情報に基づいて、映像信号の形式に応じた信号処理を映像信号に対して施すことができる。その結果、ＨＤＭＩ信号やＤＶＩ信号やコンポーネント信号の映像信号に応じてそれぞれ異なる信号処理を施すことにより、映像信号に対する信号処理の最適化を図ることができる。
【００７２】
（８）本実施形態に係る受信機３は、映像信号を無線で受信するとともに、映像信号出力装置１から送信機２に入力される映像信号の経路に関する情報を受信する無線モジュール３１を備えている。このため、受信機３に接続された投写型映像表示装置４が、映像信号の経路に関する情報に基づいて、映像信号の形式に応じた信号処理を映像信号に対して施すことができる。その結果、ＨＤＭＩ信号やＤＶＩ信号やコンポーネント信号の映像信号に応じてそれぞれ異なる信号処理を施すことにより、映像信号に対する信号処理の最適化を図ることができる。
【００７３】
（９）本実施形態に係る投写型映像表示装置４は受信機３を備え、映像信号の形式に応じて信号処理が施された映像信号に基づいて映像を表示するため、ＨＤＭＩ信号やＤＶＩ信号やコンポーネント信号の映像信号に応じてそれぞれ異なる信号処理を施すことにより、映像信号に対する信号処理の最適化を図ることができる。
【００７４】
（１０）本実施形態においては、投写型映像表示装置４が備える映像信号処理部４７により映像信号の形式に応じた信号処理を映像信号に対して施している。このため、送信機２や受信機３に、映像信号の形式に応じた上記信号処理を施すための回路は不要であるため、製造コストが高くなることを防ぐようにすることができる。
【００７５】
（その他の実施形態）
本発明は、上記実施形態に限定されるものではなく、本発明の趣旨に基づいて種々の設計変更をすることが可能であり、それらを本発明の範囲から除外するものではない。例えば、以下に示すように変更して実施することもできる。
【００７６】
・上記実施形態においては、受信機３は投写型映像表示装置４の拡張機器であり投写型映像表示装置４が受信機３を備える構成であったが、投写型映像表示装置４と受信機３とがケーブルを介して接続される別個の電子機器であってもよい。
【００７７】
・上記実施形態においては、投写型映像表示装置４が無線で送信された映像信号の形式に応じた信号処理を映像信号に対して施していたが、受信機３が、例えば映像信号処理部３２により上記の映像信号の形式に応じた信号処理を映像信号に対して施すように構成してもよい。
【００７８】
・上記実施形態においては、映像信号送信部及び信号情報通信部として１つの無線モジュール２５を備えていたが、これらを別個の通信モジュールにより構成して映像信号送信部及び信号情報通信部を備えるようにしてもよい。また、同様に、映像信号受信部及び信号情報通信部として１つの無線モジュール３１を備えていたが、これらを別個の通信モジュールにより構成して映像信号受信部及び信号情報通信部を備えるようにしてもよい。
【００７９】
・上記実施形態においては、映像信号の経路となる端子は、ＨＤＭＩ端子及びＤＶＩ端子及びコンポーネント端子であったが、これら以外の端子（例えば、ＲＣＡ端子）を送信機２が備えていてもよい。
【００８０】
・上記実施形態においては、送信機２は、映像信号を送信機２に入力するために使用された端子（即ち、映像信号が経由した端子）の情報を送信していたが、映像信号出力装置１から送信機２に入力される映像信号の経路に関する情報は、使用された端子の情報に限られない。
【００８１】
・上記実施形態においては、映像信号の形式に応じた信号処理として、ノイズ低減処理、輪郭を補正する処理、オーバースキャンすることなく映像を表示するための信号処理を例に挙げて説明したが、これら以外の信号処理を、映像信号の形式に応じて施してもよい。
【００８２】
・上記実施形態においては、映像表示装置は映像を投写して表示する投写型映像表示装置であったが、液晶テレビ等の映像表示装置についても上記実施形態に準じた態様をもって適用することはできる。
【図面の簡単な説明】
【００８３】
【図１】本発明の実施形態に係る映像表示システムの構成を示すブロック図。
【図２】本実施形態に係る送信機の構成を示すブロック図。
【図３】本実施形態に係る受信機及び映像表示装置の構成を示すブロック図。
【図４】映像信号、映像信号の経路となる端子、及び映像信号に応じた信号処理等の関係を示す表。
【符号の説明】
【００８４】
１…映像信号出力装置、２…送信機、３…受信機、４…投写型映像表示装置、５…ケーブル、２１…信号入力部、２１ａ…ＨＤＭＩ端子、２１ｂ…ＤＶＩ端子、２１ｃ…コンポーネント端子、２２…デジタル信号受信部、２３…Ａ／Ｄ変換部、２４…映像信号処理部、２５…無線モジュール（映像信号送信部、信号情報通信部）、２６…操作部、２７…制御部、２８…表示部、３１…無線モジュール（映像信号受信部、信号情報通信部）、３２…映像信号処理部、４１…光源、４２…液晶パネル、４３…投写レンズ、４４…信号入力部、４４ａ…ＨＤＭＩ端子、４４ｂ…ＤＶＩ端子、４４ｃ…コンポーネント端子、４５…デジタル信号受信部、４６…Ａ／Ｄ変換部、４７…映像信号処理部、４８…液晶ドライバ、４９…操作部、５０…制御部。
【図１】
2010074671.tif 000003
【図２】
2010074671.tif 000004
【図３】
2010074671.tif 000005
【図４】
2010074671.tif 000006